(57)【特許請求の範囲】
【請求項１】
上下方向に傾斜した姿勢でパネルに貫設されるアダプタの外周壁面にシールドカバーが設けられており、
前記シールドカバーは、前記アダプタと共に前記パネルを貫通するように構成されており、
前記アダプタと該アダプタに着脱可能なプラグとから構成される光コネクタは、前記シールドカバーを介して前記パネルに一体的に取付けられるようになっており、
前記シールドカバーは、前記アダプタの壁面の一部を互いに連結された状態で階段状に複数隣接して配置され得るアダプタの外周壁面の全体を一体的に覆うことができるよう角筒階段状を成し、前記アダプタを一体にシールドできるようになっており、
前記シールドカバーに前記アダプタを係止するための係止部が、更に、前記アダプタの外周壁面に前記シールドカバーの係止部に対応する係止部が、それぞれ設けられていることを特徴とする前記光コネクタのシールド構造。
【請求項２】
前記シールドカバーの側面には、略直角外側に折曲されたパネル受け片と、僅かに外側に折曲された片持ち梁状のバネ片とから構成される、パネル取付部が設けられており、前記パネル受け片と前記バネ片とで前記パネルを挟持することにより、前記光コネクタが前記シールドカバーと共に上下方向に傾斜した姿勢で前記パネルに取付けられるようになっている請求項１に記載のシールド構造。
【発明の詳細な説明】
【０００１】
【発明の属する技術分野】
本発明は、光コネクタのシールド構造に関し、特に、上下方向に傾斜した姿勢でパネルに設置される光コネクタのシールド構造に関する。
【０００２】
【従来の技術】
従来、光通信システムにおいて、光ケーブル相互間、又は光ケーブルと他の光デバイス間で着脱可能な接続を行なうために光コネクタが使用されている。該光コネクタは、通常、交換機等の装置の外板パネルに上下方向に傾斜した姿勢で取付けられ、前記光コネクタを接続する際に高出力のレーザ光が作業者の目に侵入するのを防止するようになっている。
【０００３】
このように光コネクタをパネルに傾斜させて取付けた例としては、特開２０００−１４７２６９号公報に開示されているものがある。これは、図６に示されているように、装置１の外板パネル２を曲げ加工し、該外板パネル２に複数個（図示では４個）の光コネクタのアダプタ３を外側下向きに傾斜させて取付けたものである。
【０００４】
【発明が解決しようとする課題】
ところが、上記特開２０００−１４７２６９号公報に開示されている光コネクタでは、前記アダプタ３の設置箇所の外板パネル２を曲げ加工しなければならず、シールド対策を施すのが困難であった。また、前記各アダプタ３はそれぞれ個々に、曲げ加工した外板パネル２に取付けられるようになっているため、前記各アダプタ３間に該アダプタ３を取付けるためのスペースが必要となり、実装密度の向上が図り難いといった問題があった。さらに、複数の前記アダプタ３をそれぞれ別々に前記外板パネル２に取付けなければならないため、取付け作業に手間が掛かり、また、前記外板パネル２を曲げ加工する必要があるため、該外板パネル２の加工に手間が掛かっていた。
【０００５】
本発明は、上記課題を解決すべくなされたものであり、シールド対策が容易に行え、実装密度の向上、取付作業及び加工の簡素化が可能な光コネクタのシールド構造を提供するものである。
【０００６】
【課題を解決するための手段】
本発明は、上下方向に傾斜した姿勢でパネルに貫設されるアダプタの外周壁面にシールドカバーが設けられており、前記シールドカバーは、前記アダプタと共に前記パネルを貫通するように構成されており、前記アダプタと該アダプタに着脱可能なプラグとから構成される光コネクタは、前記シールドカバーを介して前記パネルに一体的に取付けられるようになっており、前記シールドカバーは、前記アダプタの壁面の一部を互いに連結された状態で階段状に複数隣接して配置され得るアダプタの外周壁面の全体を一体的に覆うことができるよう角筒階段状を成し、前記アダプタを一体にシールドできるようになっており、前記シールドカバーに前記アダプタを係止するための係止部が、更に、前記アダプタの外周壁面に前記シールドカバーの係止部に対応する係止部が、それぞれ設けられている前記光コネクタのシールド構造を特徴とする。
【００１２】
また、上記シールド構造において、前記シールドカバーの側面には、略直角外側に折曲されたパネル受け片と、僅かに外側に折曲された片持ち梁状のバネ片とから構成される、パネル取付部が設けられており、前記パネル受け片と前記バネ片とで前記パネルを挟持することにより、前記光コネクタが前記シールドカバーと共に上下方向に傾斜した姿勢で前記パネルに取付けられるようになっていてもよい。
【００１３】
このような構成により、前記アダプタは前記シールドカバーによりシールドされた状態で前記パネルに固定されるので、良好なシールド効果を得ることができる。
【００１４】
【発明の実施の形態】
以下、図面を参照しつつ、本発明の実施の形態を説明する。
【００１５】
図１及び図２は、本発明の第１の実施の形態に係る光コネクタのシールド構造を示しており、光コネクタ１１は、上下方向に傾斜した姿勢でパネル１２に貫設されるアダプタ１３と、該アダプタ１３に着脱可能なプラグ１４とから構成されている。
【００１６】
前記アダプタ１３は２連型であり、同一形成をした一対の樹脂製アダプタ本体１５，１５’と、２個の円筒形状の整列スリーブ１６とから構成されている。前記各アダプタ本体１５，１５’の両側面にはそれぞれ係止突部４１，４１’が突設されている。また、前記各アダプタ本体１５，１５’の対向端部にはそれぞれ第１係止片１７，１７’、第２係止片１８，１８’が片持ち梁状に形成され、前記第１係止片１７，１７’の先端部及び基端部に係止孔が形成され、前記第２係止片１８，１８’の先端部及び基端部に係止突部が形成されている。前記第１係止片１７，１７’の前記各係止孔がそれぞれ相手側の第２係止片１８’，１８の前記各係止突部に係止することにより、前記一対のアダプタ本体１５，１５’が接続されるようになっている。そして、前記整列スリーブ１６は、前記アダプタ本体１５，１５’の接続により、前記アダプタ本体１５，１５’内に形成されたスリーブ収納部２８に摺動可能に保持されるようになっている。さらに、前記アダプタ本体１５，１５’の両端部にはそれぞれプラグ嵌合部１９が上下２段で形成されている。
【００１７】
前記アダプタ１３の外面には金属製のシールドカバー２０が設けられている。該シールドカバー２０は角筒階段状を成し、階段状に連結された２個の前記アダプタ１３の外周壁面に設けられ、該２個のアダプタ１３を一体にシールドするようになっている。前記シールドカバー２０の両側面には、前記プラグ１４の嵌合方向に対して所定角度、例えば４５°傾斜してパネル取付部２１が設けられ、該パネル取付部２１は、略直角外側に折曲されたパネル受け片２２と、僅かに外側に折曲された片持ち梁状のバネ片２３とから構成されている。したがって、前記パネル受け片２２と前記バネ片２３とで前記パネル１２を挟持することにより、前記アダプタ１３が前記シールドカバー２０と共に上下方向に傾斜した姿勢で前記パネル１２に取付けられるようになっている。また、前記シールドカバー２０の両側面の前記係止突部４１,４１’に対応する位置には、係止孔４２が穿設され、前記係止突部４１，４１’が前記係止孔４２に係止することにより、前記アダプタ本体１５，１５’が前記シールドカバー２０に保持されるようになっている。
【００１８】
図２は、前記シールドカバー２０を上下に２個連結し、前記パネル１２に取付けた状態を示している。前述したように、前記シールドカバー２０にはそれぞれ前記２連型アダプタ１３が２個ずつ収容され、該各アダプタ１３に前記プラグ１４が嵌合可能となっている。該プラグ１４は２心プラグであり、光ケーブル２４の心線端部（図示せず）を収容するフェルール２５と、該フェルール２５を遊動可能に収容するハウジング２６とをそれぞれ２個ずつ有している。
【００１９】
図２に示されているように、前記パネル１２の外側では斜め上方に、また、前記パネル１２の内側では斜め下方に向けてそれぞれ前記プラグ１４，１４’を前記プラグ嵌合部１９に挿入すると、前記両プラグ１４、１４’の各フェルール２５はそれぞれ前記整列スリーブ１６内に挿入、整列保持され、互いに衝合し、前記各プラグ１４，１４’は前記アダプタ１３を介して接続される。この時、前記アダプタ１３は前記パネル１２に対して傾斜して設けられているので、前記プラグ１４接続時に作業者の目に光が侵入するおそれがなく、作業者の目を保護することができる。また、複数のアダプタ１３が連結され、一体化されているので、実装密度が向上し、さらに、前記パネル１２に曲げ加工等複雑な加工を施す必要がないので、前記パネル１２の製作が容易となる。
【００２０】
なお、上記第１の実施の形態においては、前記アダプタ１３は、前記シールドカバー２０のパネル受け片２２とバネ片２３により前記パネル１２に取付けられているが、前記シールドカバー２０を前記パネル１２にネジで固定する等、他の接合手段を用いてもよく、又は、前記シールドカバー２０とは別個に設けた取付部材を使用してもよく、さらに、前記アダプタ１３自体に取付部を設け、前記アダプタ１３を直接、前記パネル１２にネジ等で固定してもよい。
【００２１】
また、前記シールドカバー２０は２個のアダプタ１３を一体にシールドするようになっているが、例えば、図３に示すように、前記アダプタ１３を１個ずつシールドするように形成してもよい。この場合、前記シールドカバー２０の上面又は下面には、連結用の係合部４３及び該係合部４３に係合可能な係合凹部（図示せず）を形成するのが好ましい。さらに、前記アダプタ１３は３個以上ずつ一体にシールドしてもよく、また、前記アダプタ１３は必ずしも２連型である必要はない。
【００２２】
さらにまた、前記シールドカバー２０は前記アダプタ１３の外周壁面に限らず、該アダプタ１３の端面２７にも設けられるように形成してもよい。また、前記シールドカバー２０の形状は、角筒階段状に限定されるものではなく、前記アダプタ１３が上下方向に傾斜した姿勢で前記パネル１２に設けられるようになっていれば、他の形状であってもよい。
【００２３】
次に、図４〜図６を参照しつつ、本発明の第２の実施の形態を説明する。なお、図４〜図６中、図１及び図２中の構成と同等のものについては、説明の簡略化のため、同符号を付し、その詳細な説明は省略する。
【００２４】
図中３１はシールドカバーであり、該シールドカバー３１は金属製で、くさび型箱状のアダプタ収容部３２と、該アダプタ収容部３２の下端部に形成された外鍔状のパネル取付部３３とから構成され、前記アダプタ収納部３２にはアダプタ１３が嵌設可能となっている。前記アダプタ収容部３２は、アダプタ１３の側面に対応して形成された三角形状の側面部３４と、前記アダプタ１３の上面に対応して形成された矩形状の上面部３５と、前記アダプタ１３の端面２７に対応して形成された端面部３６とから構成され、該端面部３６にはプラグ嵌合部１９に対応して開口部３７が上下に穿設されている。さらに、前記側面部３４には、係止突部４１に係止可能な係止孔４４が穿設され、前記係止突部４１が前記係止孔４４に係止することにより前記アダプタ１３が前記シールドカバー３１に保持されるようになっている。また、前記パネル取付部３３の側部には突起片３８が所要数（図示では２個）突設され、該各突起片３８にはそれぞれ丸孔３９が穿設されている。したがって、前記丸孔３９を介して前記パネル１２にネジ４０を螺入することにより、前記アダプタ１３は前記シールドカバー３１と共に上下方向に傾斜した姿勢で前記パネル１２に取付けられるようになっている。
【００２５】
図５は、前記シールドカバー３１を上下に４個連結した状態を示し、また、図６は、その連結したシールドカバー３１を前記パネル１２に取付け、前記各シールドカバー３１にそれぞれ前記２連型アダプタ１３を嵌設した状態を示している。図５に示されているように、前記アダプタ１３のプラグ嵌合部１９は前記パネル１２の外側斜め下方に向いているため、外側からプラグを接続する際に作業者の目に光が侵入するおそれがなく、作業者の目を保護することができる。また、複数のアダプタ１３が連結され、一体化されているので、実装密度が向上し、さらに、前記パネル１２に曲げ加工等複雑な加工を施す必要がないので、前記パネル１２の製作が容易となる。
【００２６】
なお、上記第２の実施の形態においては、前記アダプタ１３は、前記パネル取付部３３の丸孔３９を介して前記パネル１２にネジを螺入することにより取付られているが、前記シールドカバー３１を前記パネル１２に溶接する等、他の接合手段を用いてもよく、又は、前記シールドカバー３１とは別個に設けた取付部材を使用してもよく、さらに、前記アダプタ１３自体に取付部を設け、前記アダプタ１３を直接、前記パネル１２にネジ等で固定してもよい。
【００２７】
さらに、前記シールドカバー３１には、前記端面部３６を設けず、前記アダプタ１３の外周壁面のみをシールドするように形成してもよい。また、前記シールドカバー３１の形状は、上記した楔型に限定されるものではなく、前記アダプタ１３が上下方向に傾斜した姿勢で前記パネル１２に設けられるようになっていれば、他の形状であってもよい。また、前記シールドカバー３１は、上記したように４個連結する代わりに、複数個を一体に成形してもよい。
【００２８】
また、上記第１及び第２の実施の形態では、前記アダプタ１３をシールドする場合について説明したが、前記パネル１２内側のプラグ１４’を前記アダプタ１３に固定し、前記パネル１２外側に前記プラグ１４が挿脱可能なコネクタ部を設けたコネクタに対してシールドする場合にも、本発明が適用可能であることは言う迄もない。
【００２９】
【発明の効果】
以上述べた如く本発明によれば、アダプタはシールドカバーによりシールドされた状態でパネルに固定されるので、良好なシールド効果を得ることができる。また、アダプタはパネルに対して傾斜して設けられているので、プラグ着脱時における作業者の目への光の侵入を防止し、作業者の目を保護することができる。さらに、アダプタを連結してパネルに取付けることができるので、アダプタの取付作業が容易となると共に実装密度の向上を図ることができる。さらにまた、アダプタのパネルへの取付部分に曲げ加工等複雑な加工を必要としないので、パネルの加工が簡素化する等種々の優れた効果を得ることができる。
【図面の簡単な説明】
【図１】本発明の第１の実施の形態を示す斜視図である。
【図２】本発明の第１の実施の形態を示す分解斜視図である。
【図３】本発明の第１の実施の形態を示す分解斜視図である。
【図４】本発明の第２の実施の形態を示す斜視図である。
【図５】本発明の第２の実施の形態を示す斜視図である。
【図６】本発明の第２の実施の形態を示す分解斜視図である。
【図７】本発明の従来例を示す概略断面図である。
【符号の説明】
１１          光コネクタ
１２          パネル
１３          アダプタ
２０          シールドカバー
２７          端面
３１          シールドカバー
３４          側面部
３５          上面部
３６          端面部
【図１】
0003921063.tif 000002
【図２】
0003921063.tif 000003
【図３】
0003921063.tif 000004
【図４】
0003921063.tif 000005
【図５】
0003921063.tif 000006
【図６】
0003921063.tif 000007
【図７】
0003921063.tif 000008